(57)【特許請求の範囲】
【請求項１】
エリア情報を受信する手段と、
前記受信したエリア情報についてエリアを判別する手段と、
該エリアごとのエリア名を名前とするディレクトリに前記エリア情報を格納する手段と、
前記受信したエリア情報について、各エリアディレクトリに分類された後、該エリアごとのディレクトリ内でカテゴリーディレクトリに分類して格納する手段と、を有し、
前記格納手段は、エリアディレクトリが、カテゴリーディレクトリからなる階層の上位に設けられることを特徴とする携帯電話機。
【請求項２】
前記エリア情報をユーザに選択・検索させる際の表示部における処理として、上位において前記エリアごとのディレクトリのリストを表示し、下位において前記カテゴリーごとのディレクトリのリストを表示する手段を有することを特徴とする請求項１記載の携帯電話機。
【請求項３】
未登録エリアの前記エリア情報を新規に受信したとき、該エリアに対応するエリア名を持つディレクトリを自動作成して格納することを特徴とする請求項１又は２に記載の携帯電話機。
【請求項４】
前記エリアごとのディレクトリを単位としてデータ消去を行う手段を有することを特徴とする請求項１から３のいずれか１項に記載の携帯電話機。
【請求項５】
エリア情報を受信するステップと、
前記受信したエリア情報についてエリアを判別するステップと、
前記判別されたエリア名を名前とするディレクトリを探索あるいは作成するステップと、
前記エリア情報について、各エリアディレクトリに分類された後、カテゴリーを判別するステップと、
前記判別されたカテゴリー名を名前とするディレクトリを、探索あるいはエリアディレクトリの下位に作成するステップと、
前記ステップで探索あるいは作成されたディレクトリに前記受信したエリア情報を格納するステップと、
を有することを特徴とする携帯電話機における情報管理方法。
【請求項６】
前記エリア情報をユーザに選択・検索させる際の表示部における処理として、
上位においてエリアごとのディレクトリのリストを表示するステップと、
下位においてカテゴリーごとのディレクトリのリストを表示するステップと、を有することを特徴とする請求項５記載の携帯電話機における情報管理方法。
【発明の詳細な説明】
【０００１】
【発明の属する技術分野】
本発明は、携帯電話機および携帯電話機における情報管理方法に関し、特に、エリア（地域）情報を受信する機能を持つ携帯電話機および携帯電話機おけるエリア（地域）情報の情報管理方法に関する。
【０００２】
【従来の技術】
近年、携帯電話の進歩は目覚ましく、電話機能のみならず、メールサービス、情報配信サービスなど多岐のサービスが提供されている。特に、電話機としてよりも情報配信サービスが充実してきており、携帯電話端末に対し、端末が現在位置するエリア（地域）に応じて、該当エリアに関係する情報コンテンツ（以下、エリア情報）を配信するサービスなどがある。
【０００３】
上記エリア情報を配信するサービス（以下、エリア情報配信サービス）においては、エリア情報として、天気予報、ショッピング情報、食事情報、アミューズメント情報などの各種情報が配信される。配信情報は、定期／不定期など所定の配信方法で提供される。ユーザ（携帯電話端末の携帯者）がエリア間を移動すると、移動した先のエリアで同様にそのエリアのエリア情報が得られるようになっている。
【０００４】
図８に、一般的な無線通信システムの構成と、エリア情報の配信について示す。携帯電話機などの移動体端末装置１は、基地局２および基地局制御装置３を通して他の移動体端末装置１と通信を行うことができる。各基地局２は、カバーする無線ゾーン（セル）内の端末装置１との間で多元接続の制御を行う。端末装置１に対しては、交換機４を介して固定電話網やＩＰネットワークなどの他網５との通信が提供される。端末装置１に対しては、例えば、図示していない所定のコンテンツ配信サーバなどを送信元としてエリア情報が配信される。エリアとは所定の地理的な区分であり、各エリアは、固有のエリア情報をコンテンツとして持つ。
【０００５】
従来のエリア情報配信サービスでは、携帯電話端末側において、受信したエリア情報について、情報の内容・種類・分野（カテゴリー）に応じたフォルダ（ディレクトリ）に分類して管理する構成になっている。この従来のエリア情報分類のディレクトリ構造を図９に示す。ルート下にはカテゴリーごとのフォルダ（以下、カテゴリーフォルダ）が設けられる。具体的なカテゴリーとしては、例えば、「ニュース」、「スポーツ」、「食事」などがある。各カテゴリーフォルダは、カテゴリーの名前をフォルダ名として持つ。
【０００６】
携帯電話端末は、エリア情報受信時、そのエリア情報の属するカテゴリーを判別し、対応するカテゴリーフォルダに格納・整理する。各エリア情報はカテゴリー別には整理されるが、各カテゴリーフォルダ内ではエリアに関係なく情報が格納されることになる。各カテゴリーフォルダ内では、個々のエリア情報は着信順に整理される。携帯電話端末において、個々のエリア情報についてのカテゴリーの判別処理は、例えばエリア情報に付属するカテゴリーコードなどを識別することにより行うことができる。
【０００７】
また、携帯電話機において、ユーザにメモリに格納されているエリア情報を選択させるためのユーザインターフェースとしては、以下のような方法が一般的であった。まず、ユーザによる操作入力部における所定の操作入力に応じて、表示部に、カテゴリーフォルダのリストの表示を行う。次に、ユーザにより所望のカテゴリー（フォルダ）が選択されると、そのカテゴリーフォルダ内にある個々のエリア情報のリストを表示する。個々のエリア情報は例えば着信時刻順に並んで表示される。次に、エリア情報のリストからユーザにより所望のエリア情報の選択が行われると、そのエリア情報（本体）を表示する処理を行う。この従来のエリア情報選択のための表示例について図１０に示す。
【０００８】
従来のエリア情報配信サービスおよび携帯電話機では、例えば出張や旅行あるいは遠距離の通勤などで複数のエリア間を移動した場合などには、複数のエリアのエリア情報が配信される。これにより、携帯電話機側において受信したエリア情報はカテゴリーごとの分類はされるものの、各カテゴリー内において個々のエリア情報は複数のエリアのエリア情報が混在したばらばらのものになる。
【０００９】
これにより、せっかくエリアごとに固有のコンテンツ情報を受信しているのに、ユーザにとってはあるエリア内の所望の情報を探しづらくなるなど使い勝手が悪いという問題があった。
【００１０】
また、ユーザおよび携帯電話機の複数のエリア間の移動により、ユーザが必要としていないあるいは興味のないエリアのエリア情報を受信するということが発生するが、ユーザがその必要のないエリア情報のデータ消去を行う際に、各エリア情報があくまでカテゴリーごとの分類になっているため、消去処理が煩雑になるという問題があった。
【００１１】
【発明が解決しようとする課題】
本発明は、かかる問題点に鑑みてなされたものであり、エリア情報配信サービスを通じてエリア情報を受信する機能を持つ携帯電話機において、ユーザによるエリア情報の選択・検索や、エリア情報に対するデータ消去などの操作がし易いユーザインターフェースを備える携帯電話機および情報管理方法を提供することを目的とする。
【００１２】
【課題を解決するための手段】
かかる目的を達成するために、請求項１記載の発明は、エリア情報を受信する手段と、前記受信したエリア情報についてエリアを判別する手段と、該エリアごとのエリア名を名前とするディレクトリに前記エリア情報を格納する手段と、前記受信したエリア情報について、各エリアディレクトリに分類された後、該エリアごとのディレクトリ内でカテゴリーディレクトリに分類して格納する手段と、を有し、前記格納手段は、エリアディレクトリがカテゴリーディレクトリからなる階層の上位に設けられることを特徴とする携帯電話機である。
【００１３】
請求項２記載の発明は、請求項１記載の発明において、前記エリア情報をユーザに選択・検索させる際の表示部における処理として、上位において前記エリアごとのディレクトリのリストを表示し、下位において前記カテゴリーごとのディレクトリのリストを表示する手段を有することを特徴としている。
【００１４】
請求項３記載の発明は、請求項１又は２記載の発明において、未登録エリアの前記エリア情報を新規に受信したとき、該エリアに対応するエリア名を持つディレクトリを自動作成して格納することを特徴としている。
【００１５】
請求項４記載の発明は、請求項１から３のいずれか１項に記載の発明において、前記エリアごとのディレクトリを単位としてデータ消去を行う手段を有することを特徴としている。
【００１６】
請求項５記載の発明は、エリア情報を受信するステップと、前記受信したエリア情報についてエリアを判別するステップと、前記判別されたエリア名を名前とするディレクトリを探索あるいは作成するステップと、前記エリア情報について、各エリアディレクトリに分類された後、カテゴリーを判別するステップと、前記判別されたカテゴリー名を名前とするディレクトリを、探索あるいはエリアディレクトリの下位に作成するステップと、前記ステップで探索あるいは作成されたディレクトリに前記受信したエリア情報を格納するステップと、を有することを特徴とする携帯電話機における情報管理方法である。
【００１７】
請求項６記載の発明は、請求項５記載の発明において、前記エリア情報をユーザに選択・検索させる際の表示部における処理として、上位においてエリアごとのディレクトリのリストを表示するステップと、下位においてカテゴリーごとのディレクトリのリストを表示するステップと、を有することを特徴としている。
【００１９】
【発明の実施の形態】
以下、本発明の実施の形態を添付図面を参照しながら詳細に説明する。図１は、本発明の実施の形態における携帯電話機の構成を示すブロック図である。また、図２は、本実施例の携帯電話機におけるエリア情報分類のディレクトリ構造を示す図である。
【００２０】
本発明の携帯電話機および情報管理方法では、受信したエリア（地域）情報をエリアごとのフォルダに分類して管理するように構成される。また、ユーザによるエリア情報の選択・検索のためのユーザインターフェースとして、表示部に対してエリア名をフォルダ名として持つフォルダのリストを表示する処理を行う。また、携帯電話機側において未登録（エリアごとのフォルダとして未登録）のエリアのエリア情報を新規に受信した場合、対応するエリア名のフォルダを自動作成して格納する処理を行う。また、エリアごとのフォルダを単位としてデータ消去処理を行う手段を提供する。
【００２１】
本実施例の携帯電話機では、エリア情報の分類のためのディレクトリ（フォルダ）構成として、従来のカテゴリー単位での分類だけではなく、カテゴリーの階層の上位にさらにエリア単位のディレクトリ（フォルダ）を設けてエリア単位での分類を行う。
【００２２】
なお、エリア情報におけるエリアの区分と、無線通信システムにおける通信サービスエリアの区分とは、所定の関係で関連付けされるが、ここでは概念的に別のものとして考えることにする。また、本発明では、エリア情報を受信する携帯電話端末側の構成を主とし、エリア情報の配信側のシステムの構成については特に限定しない。配信側システムの構成の一例としては、コンテンツ配信サーバを送信元として契約ユーザに対して定期／不定期で配信を行うなどがある。
【００２３】
本実施例の携帯電話機１は、無線部１１、制御部１２、スピーカー（音声出力部）１３、マイク（音声入力部）１４、操作入力部（各種キーなど）１５、表示ドライバ１６、表示部（液晶ディスプレイなど）１７、メモリ１８などに加え、本発明に特徴的な処理を行うエリア情報判別部１０１、エリア情報テーブル部１０２、エリア情報管理部１０３を有して構成される。
【００２４】
無線部１１は、ハードウェア的およびソフトウェア的な無線通信処理（変調／復調、符号化／復号化など）を行う。制御部１２は、ＣＰＵなどの制御装置であり、携帯電話機１全体の制御を行う。本発明の情報管理処理を実現するプログラムを含む各プログラムは非図示のＲＯＭなどに格納されており、必要に応じて主記憶上にロードされ制御部１２により逐次実行されることにより本発明の処理を行う。メモリ１８は、メールなどのメッセージ情報、電話番号情報などや、受信したエリア情報などの各種データを格納・保存する半導体メモリなどのデバイスである。電話機能として、ユーザは、マイク１４により音声入力を行い、スピーカー１３により音声出力を得る。
【００２５】
ユーザによる各種の操作入力は、操作入力部１５により行われる。電話番号押下やメール作成・送信処理などは、テンキーや各機能が割り当てられた専用キーの操作により行われる。また、エリア情報を格納している各フォルダや個別のエリア情報の選択・検索、あるいはエリア情報に対するデータ消去などが操作入力部１５における入力に基づき行われる。エリア情報（本体）およびその選択・検索などのための各種情報の表示処理は表示部１７に対して行われる。表示ドライバ１６は、表示部１７への表示処理を行う。
【００２６】
エリア情報判別部１０１は、無線部１を介してエリア情報を受信した際に、エリア情報のヘッダ情報を読み、当該エリア情報がどのエリアに属する情報であるかの判別処理を行う。これはヘッダ情報に含まれるエリアコードなどを読み取ることにより行う。エリア情報判別部１０１は、後述のエリア情報テーブル部１０２で管理しているテーブルを参照し、エリアコードからエリア名他の情報を取得する。
【００２７】
当該エリア情報配信サービスにおいて配信されるエリア情報のフォーマットの例を図３に示す。このフォーマットの例でエリア情報は、データ本体に加え、ヘッダ情報として、エリア情報ＩＤ（コンテンツＩＤ）、エリアコード、カテゴリーコード、基地局情報などの情報を持つ。エリア情報ＩＤは、当該エリア情報配信システムにおいてエリア情報（コンテンツ）に対してユニークに定まる識別子である。これは、エリア情報の名前（文字列形式）などを含んでも良い。エリアコードは、各エリアに対して識別のために割り当てされるコードである。カテゴリーコードは、同様に、各カテゴリーに対して識別のために割り当てされるコードである。ヘッダ情報としては他に、送信データがエリア情報であることを示すコードや、携帯電話機１が通信を行っている基地局および基地局制御装置などに関する情報あるいは送信者情報（送信元アドレス）などの各種情報がある。
【００２８】
エリア情報テーブル部１０２は、エリアコードとエリア名他の情報との対応を記述したテーブルを管理する。このテーブル（エリア情報テーブルとする）の例を図４に示す。エリア情報テーブルは、少なくともエリアコードとエリア名の属性を持つ。エリア情報がエリアの判別のための情報としてエリアコードのみ持つ場合、エリア情報テーブルは、当該エリア情報配信サービスにおけるエリアコードとエリア名の対応の全てを持つ。これにより、携帯電話機１では、受信エリア情報内のエリアコードとこのテーブルとからエリア名他の情報を知ることができ、対応するエリアフォルダの作成を行うことができる。なお、エリア情報がエリアの判別のための情報としてエリアコードに加えエリア名も持つ場合、エリア情報テーブルに全ての対応を記述しておく必要はない。
【００２９】
エリア情報管理部１０３は、図２に参照されるようなエリア情報についてのディレクトリ（フォルダ）構造を管理する。エリア情報のデータ本体自体は、メモリ１８上の所定のアドレスに格納される。エリア情報管理部１０３は、新しいフォルダやエリア情報の追加など、ディレクトリ構造に変更の必要性が生じた場合、その変更処理を行う。
【００３０】
本携帯電話機１の基本的な動作について説明する。電話機能において、無線部１１を介して受信した復調信号は制御部１２を介して音声信号に変換される。また、音声信号は、無線部１１により変調されて送信される。ユーザは、スピーカー１３およびマイク１４を使用して通話を行う。
【００３１】
携帯電話機１では、基地局を介してエリア情報を受信（無線部１１により復調され、読み取り可能なデータに変換される）すると、エリア情報判別部１０１によりエリア情報に含まれているエリアコードを検出し、エリア情報テーブル部１０２などを参照して当該受信エリア情報が属するエリアの判別処理を行う。エリア情報管理部１０３は、この判別処理に基づき、エリア情報を、対応するエリア名をフォルダ名として持つエリアフォルダに格納する処理を行う。上記判別処理において、受信エリア情報が当該携帯電話機１において未登録（つまりエリアフォルダとして未作成）のエリアからの新規のエリア情報であった場合、エリア情報管理部１０３は、この新規のエリアに対応するエリアフォルダの自動作成を行ってこのエリアフォルダ内に受信エリア情報を格納し、新規作成されたエリアフォルダを既存のディレクトリ構成に追加する処理を行う。
【００３２】
エリア情報は、各エリアフォルダに分類された後、さらにカテゴリーごとのフォルダに着信時刻順に格納・整理される。
【００３３】
次に、ユーザによるエリア情報の選択・検索のための表示部１７への情報の表示方法について説明する。この表示例を図５に示す。携帯電話機１において、表示部１７にエリア情報の表示を行う際、まず、ユーザによる操作入力部１５での所定の操作入力により、エリアフォルダのリストが表示される（ａ）。ユーザが所望のエリア（フォルダ）を選択すると、次にカテゴリーフォルダのリストが表示される（ｂ）。ユーザが所望のカテゴリー（フォルダ）を選択すると、その中の個々のエリア情報のリストが表示される（ｃ）。ユーザは、所望のエリア情報を選択し、内容を見ることができる（ｄ）。
【００３４】
次に、携帯電話機１において、フォルダに保存されているエリア情報について、情報整理のための編集（データ消去）を行う際の処理について説明する。図６は、その表示部１７への表示例を示す。まず、ユーザによる操作入力部１５での所定の操作入力により、エリアフォルダのリストが表示される（ａ）。ユーザは、エリア情報をメモリ１８上からデータ消去したい場合、表示部１７画面に表示される「１件消去」、「全消去」（「フォルダ消去」）のコマンドから所望の方を選択して消去処理を実行する。例えば、「千葉」のエリアフォルダを全消去（一括消去）したい場合、ユーザは、画面ａにおいて、カーソルを「千葉」に選択し、「全消去」コマンドを選択する。これが実行されると、エリア情報管理部１０３は、指定されたエリアフォルダを削除する処理を行う。この結果、画面はｂになる。「千葉」の項目が削除されて、カーソルは次の「静岡」に位置している。同様に、「１件消去」コマンドでは、エリア情報を１件消去することができる。
【００３５】
図７は、本発明の実施の形態における携帯電話機１および情報管理方法でのエリア情報受信時の動作を示すフローチャートである。まず、携帯電話機１は待ち受け状態にあり、基地局を介して当該携帯電話機１が位置するエリアのエリア情報を受信する（ステップＳ１）。
【００３６】
エリア情報判別部１０１は、受信エリア情報からエリアコードなどを検出し、エリア情報テーブル部１０２などを参照してエリアの判別処理を行う（ステップＳ２）。
【００３７】
判別処理の結果、受信エリア情報について、そのエリア名が取得される。次に、エリア情報管理部１０３で管理しているディレクトリ構造が参照され、受信エリア情報のエリアに対応するエリアフォルダが既に存在するか否かが判断される（ステップＳ３）。
【００３８】
該当エリアフォルダが既に存在する場合（ステップＳ３・ＹＥＳ）、受信エリア情報について、次にカテゴリーの判断へと移行する。該当エリアフォルダが存在しない場合（ステップＳ３・ＮＯ）、エリア情報管理部１０３は、対応する新規のエリアフォルダを自動作成して次のカテゴリーの判断へと移行する（ステップＳ４）。
【００３９】
エリアの判断が終わると、次にカテゴリーの判断を行う。これはカテゴリーコードなどを参照することにより行われる（ステップＳ５）。
【００４０】
判断処理の結果、受信エリア情報について、そのカテゴリー名が取得される。次に、エリア情報管理部１０３で管理しているディレクトリ構造が参照され、受信エリア情報のカテゴリーに対応するカテゴリーフォルダが既に存在するか否かが判断される（ステップＳ６）。
【００４１】
該当カテゴリーフォルダが既に存在する場合（ステップＳ６・ＹＥＳ）、エリア情報管理部１０３は、受信エリア情報を、該当のカテゴリフォルダ内に格納する（ステップＳ８）。該当カテゴリーフォルダが存在しない場合（ステップＳ６・ＮＯ）、エリア情報管理部１０３は、対応する新規のカテゴリーフォルダを自動作成し（ステップＳ７）、受信エリア情報をこのカテゴリーフォルダ内に格納する（ステップＳ８）。
【００４２】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
【００４３】
【発明の効果】
以上の説明から明らかなように、本発明によれば、携帯電話機において受信したエリア情報が、カテゴリーごとのフォルダからなる階層の上位に設けられたエリアごとのフォルダに分類・管理され、また、ユーザによるエリア情報の選択・検索時においても表示部にエリアごとのフォルダのリストを表示するよう構成されるため、ユーザは、所望のエリアごとにエリア情報の選択・検索操作を行え、使い勝手が向上する。また、エリアフォルダの作成は自動的に行われるため、ユーザが自らエリア名を持つフォルダを登録して情報整理するなどの手間が省ける。また、ユーザおよび携帯電話機がエリア間を移動して不必要なエリア情報を受信・格納している場合に、不必要なエリア情報を、エリアフォルダを単位として一括消去できるため、情報の整理のための操作性が向上するとともに、メモリ資源の有効利用に役立つ。
【図面の簡単な説明】
【図１】本発明の実施の形態における携帯電話機の構成を示すブロック図である。
【図２】本実施例の携帯電話機および該携帯電話機での情報管理方法でのディレクトリ構造を示す図である。
【図３】エリア情報配信サービスにおいて配信されるエリア情報のフォーマットの例を示す図である。
【図４】エリア情報テーブル部１０２の管理するテーブルの例を示す図である。
【図５】ユーザによるエリア情報の選択・検索のための表示部への表示の例を示す図である。
【図６】エリア情報に対するデータ消去のための表示部への表示の例を示す図である。
【図７】本発明の実施の形態における携帯電話機および情報管理方法でのエリア情報受信時の動作を示すフローチャートである。
【図８】従来の一般的な無線通信システムの構成およびエリア情報の配信を示す図である。
【図９】従来の携帯電話機におけるエリア情報分類のためのディレクトリ構造を示す図である。
【図１０】従来の携帯電話機におけるエリア情報の選択・検索のための表示部への表示の例を示す図である。
【符号の説明】
１  携帯電話機
１１  無線部
１２  制御部
１３  スピーカー
１４  マイク
１５  操作入力部
１６  表示ドライバ
１７  表示部
１８  メモリ
１０１  エリア情報判別部
１０２  エリア情報テーブル部
１０３  エリア情報管理部
１  移動体端末装置（携帯電話機）
２  基地局
３  基地局制御装置
４  交換機
５  他網
【図１】
0003742015.tif 000002
【図２】
0003742015.tif 000003
【図３】
0003742015.tif 000004
【図４】
0003742015.tif 000005
【図５】
0003742015.tif 000006
【図６】
0003742015.tif 000007
【図７】
0003742015.tif 000008
【図８】
0003742015.tif 000009
【図９】
0003742015.tif 000010
【図１０】
0003742015.tif 000011